(57)【要約】 【課題】  バスレフスピーカシステムオーディオ再生装置を内蔵した小型の薄型表示装置において、近接して配設された左右の音声チャンネル用バスレフポートから漏洩し、放音される中／高周波数域の音声によるステレオプログラム再生時の左右の音声チャンネル分離特性の劣化を防止する手段を提供する。【解決手段】  バスレフポート開口部の放音軸を薄型表示装置前面の前方下方向とすることにより、薄型表示装置の前面に位置する視聴者に到達する指向特性の強い中／高周波数域の音声は、低周波数域の音声よりも減衰が大きくなり、ステレオプログラム再生時の左右の音声チャンネル分離特性の劣化を防止し、且つ、低音再生能力の高いバスレフスピーカシステムを搭載した薄型表示装置であることをユーザーに視覚的に訴求することを可能とする。【選択図】  図１
2006173943.tif 000002
【特許請求の範囲】
【請求項１】
バスレフスピーカシステム内蔵薄型表示装置において、バスレフポートの放音軸は前記バスレフスピーカシステム内蔵薄型表示装置の表示画面に対し角度θを有して配置され、その角度は０度＜θ＜９０度であることを特徴とするバスレフスピーカシステム内蔵薄型表示装置。
【請求項２】
バスレフスピーカシステム内蔵薄型表示装置において、該バスレフスピーカシステム内蔵薄型表示装置の表示画面とスピーカ放音面は略平行に配置され、バスレフポートの放音軸は前記表示画面とスピーカ放音面に対し角度θを有して配置され、その角度は０度＜θ＜９０度であることを特徴とするバスレフスピーカシステム内蔵薄型表示装置。
【請求項３】
バスレフスピーカシステム内蔵薄型表示装置において、バスレフポートの放音軸を前記バスレフスピーカシステム内蔵薄型表示装置の表示画面に対し前方下方向としたことを特徴とするバスレフスピーカシステム内蔵薄型表示装置。
【請求項４】
バスレフスピーカシステム内蔵薄型表示装置において、該バスレフスピーカシステム内蔵薄型表示装置のキャビネット前面下部中央で、斜め下方に曲率中心を有する曲面にバスレフポートを設けたことを特徴とするバスレフスピーカシステム内蔵薄型表示装置。
【請求項５】
請求項１乃至４に記載のバスレフスピーカシステム内蔵薄型表示装置は、スピーカとバスレフ用ポートを一体に構成したスピーカボックスが前記バスレフスピーカシステム内蔵薄型表示装置の前キャビネット、およびまたは後キャビネットに固定され、該前キャビネットと該後ろキャビネットのあいだに配置されることを特徴とするバスレフスピーカシステム内蔵薄型表示装置。
【請求項６】
請求項５に記載のバスレフスピーカシステム内蔵薄型表示装置において、前記スピーカボックスは前記前キャビネット、およびまたは前記後キャビネットに緩衝部材を介してフローティング固定されていることを特徴とするバスレフスピーカシステム内蔵薄型表示装置。
【請求項７】
請求項５、または６のいずれかに記載のバスレフスピーカシステム内蔵薄型表示装置において、前記スピーカボックスのスピーカの放音軸とバスレフ用ポートの放音軸は角度θを有して配置され、その角度は０度＜θ＜９０度であることを特徴とするバスレフスピーカシステム内蔵薄型表示装置。
【発明の詳細な説明】
【技術分野】
【０００１】
本発明は、薄型表示装置に内蔵されるオーディオ再生装置の低周波数域再生能力改善のためのバスレフスピーカシステムに関するもので、詳しくは、バスレフポートの放音軸を薄型表示装置の前方下方向とすることにより、バスレフポートから漏洩する中／高周波数域の音声によるステレオプログラム再生時の左右の音声チャンネル分離特性低下を防止し、且つ、バスレフポートの開口部を視聴者の可視領域に配設することにより、低周波数域の再生能力が優れたバスレフスピーカシステム搭載製品であることを視覚的にユーザーに訴求することを可能とするものである。
【背景技術】
【０００２】
オーディオ再生装置から出力される低周波数域の音声再生能力を改善する手段としては、スピーカ振動板の口径、スピーカ振動板の剛性、スピーカ振動板の振動板支持部材の柔軟性、スピーカ振動板支持構造、およびスピーカ振動板を駆動するための通電用ボイスコイルを含む振動系全体の質量などの要素により決まる最低共振周波数を低く維持した大口径のスピーカを大容積のスピーカボックスに収容することにより実現可能であるが、ヘルムホルツ共鳴を利用したバスレフスピーカシステムが考案され、スピーカの最低共振周波数が充分に低くない小口径のスピーカ、および小容積のスピーカボックスとの組み合わせによっても良好な低周波数域の音声再生特性を実現することが可能となった。従って、該バスレフスピーカシステムは省スペース環境用に設計された小型のブックシェルフタイプのコンポーネントオーディオ製品などで広く利用されている。
【０００３】
図４（ａ）はバスレフスピーカシステムを内蔵した薄型表示装置の従来技術によるバスレフスピーカシステムの放音部を示す前面図、図４（ｂ）は側面図である。図４（ａ）において、１２ａは左スピーカ部、１２ｂは右スピーカ部を示す。ステレオプログラム再生時に良好な左右の音声チャンネル分離特性を実現するため、左スピーカ部１２ａ、および右スピーカ部１２ｂ相互の離隔距離を可及的に大きくする必要があり、特許文献１に見られるごとく、通常、キャビネットの左右両端に配設される。
【０００４】
図４（ａ）中の１３ａは左バスレフポート、１３ｂは右バスレフポートを示す。前述のごとく左スピーカ部１２ａ、および右スピーカ部１２ｂのそれぞれをキャビネット１４前面の左右両端に配設する結果、左バスレフポート１３ａ、および右バスレフポート１３ｂのそれぞれの配設位置は必然的にキャビネット１４前面の中央寄りとなり、左右のバスレフポートから出力される左右の音声チャンネル分離特性は低下する。しかし、聴覚の到来方向識別能力は、中／高周波数域の音声に比し、バスレフポートから主として出力される低周波数域の音声で劣るため、実用上の問題にはならない。
【０００５】
図４（ｃ）は、音声出力回路のブロックダイアグラムを示している。左チャンネル音声信号入力端子１２ｃから入力された左チャンネル音声信号は、左チャンネル前置増幅器１２ｅ、および左チャンネル電力増幅器１２ｇを経由し、左スピーカ部１２ａを駆動する。左スピーカ部１２ａは、図４（ｃ）中に破線で示す低周波数域を強調するためのヘルムホルツ共鳴箱を構成し左バスレフポート１３ａを備えた小型のスピーカボックスに収容され、さらに前記の小型のスピーカボックスはキャビネット１４内に内蔵されている。右チャンネル音声回路についても前記の左チャンネル音声回路と全く同様の構成で別個に設けられ、２チャンネル音声出力機能を実現している。
【０００６】
バスレフスピーカシステムは、強調された豊かな低周波数域の音声出力を実現する技術手段であり、したがって、バスレフポートからは、主に低周波数域の音声が出力される。しかし、中／高周波数域の音声も低レベルではあるが漏洩する。バスレフポートから漏洩する中／高周波数域の音声は低レベルではあっても、左右のバスレフポートが接近しているため、左右の音声チャンネル分離特性の劣化原因となり、ステレオプログラム再生時の立体音響効果を損なう。従来技術の実施例を示す図４では、薄型表示装置のキャビネット１４の前面に、相互に近接して左バスレフポート１３ａ、および右バスレフポート１３ｂの放音軸方向を視聴者に指向させ配設しているため、左バスレフポート１３ａ、および右バスレフポート１３ｂから漏洩する中／高周波数域の音声出力が、左右の音声チャンネル分離特性を劣化させ、ステレオプログラム再生時の立体音響効果を損なう原因となる。
【０００７】
このため、図５（ａ）〜（ｃ）に示す従来技術の他の実施例では、低周波数域の音声再生能力を改善するため、左スピーカ部２２ａ、および右スピーカ部２２ｂに加え、低周波数域の音声を選択的に出力する専用のウーファ２５を搭載し、さらに該ウーファ２５にバスレフスピーカシステムを適用している。キャビネット２４の底面にバスレフポート２３を配設し、バスレフポート２３からの放音軸方向を薄型表示装置底面から設置面へ指向させている。しかし、バスレフポート２３、および薄型表示装置が設置される設置面との相互間隔が小さくなるため、設置面の構成部材により、または設置面の表面状態によりバスレフポート２３からの低周波数音声の輻射インピーダンスが影響を受け、音響効果が変動する。さらには、図５（ｄ）に示すごとく、低周波数域の音声信号を抽出するため、左チャンネル低域通過フィルタ２６ａ、および右チャンネル低域通過フィルタ２６ｂ、重畳回路２７、さらには低周波数域音声専用のウーファ電力増幅器２８を必要とし、回路構成が複雑となる問題を有している。
【特許文献１】特開２０００−２８７２８７  「スピーカシステムおよびそれを用いたディスプレイ装置」
【発明の開示】
【発明が解決しようとする課題】
【０００８】
オーディオプログラム再生時に、豊かな音感を与える低周波数域の音声を再生可能とするバスレフスピーカシステムを搭載する薄型表示装置において、低周波数域音声の放音部としてのバスレフポートを、ユーザーが視認可能なキャビネット前面に配設することにより、該薄型表示装置に内蔵されたオーディオ再生装置が有する優れた機能性をユーザーに訴求することが出来る。しかしながら、近接して配設された左右のバスレフポートからステレオプログラムの左右の音声チャンネルの中／高周波数域音声が漏洩し、放音された場合には左右の音声チャンネル分離特性が低下し、ステレオプログラムの立体音響効果が損なわれる。
【課題を解決するための手段】
【０００９】
オーディオ再生装置としてバスレフスピーカシステムを内蔵する薄型表示装置において、バスレフポートからの放音軸方向を薄型表示装置の表示画面に対し例えば前方下方向のように、０度を越えて９０度未満の角度内として配置することで、音の指向性が音声周波数により異なる性質を利用することにより、バスレフポートから漏洩する中／高周波数域の音声を選択的に減衰させ、薄型表示装置の前方に位置する視聴者の耳に到達することを防止し、ステレオプログラム再生時の立体音響効果が損なわれない。
【００１０】
また、薄型表示装置のキャビネット前面下部中央で、斜め下方に曲率中心を有する曲面にバスレフポート開口部を設けたことで、低周波数域音声の放音部としてのバスレフポートをユーザーが視認可能であり、該薄型表示装置に内蔵されたオーディオ再生装置が有する優れた機能性をユーザーに訴求することも出来る。
【００１１】
また、前記スピーカボックスは前記前キャビネット、およびまたは前記後キャビネットに緩衝部材を介してフローティング固定されていることで、バスレフポートの気密性を保つとともに、スピーカボックスからの振動がキャビネットへ伝播し薄型表示装置の画面への影響などの不具合も抑えている。
【００１２】
さらに、前記スピーカボックスの状態でスピーカの放音軸とバスレフ用ポートの放音軸に所定の角度を有して配置することで、薄型表示装置のキャビネット側の加工が簡単になると共に薄型表示装置の組立も容易となる。
【発明の効果】
【００１３】
スピーカから放音される音声の指向性は周波数により異なり、主として低周波数域の音声を出力するバスレフスピーカシステムのバスレフポートから漏洩する略３０００Ｈｚ以上の中／高周波数域の音声では、低周波数域の音声に比して指向性が強く、放音軸方向には強く放射するが軸から遠ざかる角度方向へは急激に減衰する。したがって、放音軸をキャビネットの前方下方向に指向させ配設したバスレフポートから漏洩する低レベルの中／高周波数域の音声は、キャビネット前方に位置する視聴者の耳には直接に到達せず、左右の音声チャンネル分離特性を劣化させる原因にはならず、且つ、薄型表示装置が設置される設置面の影響を受け、音響効果が変動することを回避することも可能となる。
【００１４】
また、バスレフポートは、前キャビネット下部中央で斜め下方に曲率中心を有する曲面に設けられていることで、低周波数域音声の放音部としてのバスレフポートをユーザーが視認可能であり、該薄型表示装置に内蔵されたオーディオ再生装置が有する優れた機能性をユーザーに訴求することも出来る。
【００１５】
さらに、前記スピーカボックスの状態でスピーカの放音軸とバスレフ用ポートの放音軸に所定の角度を有して配置することで、薄型表示装置のキャビネット側の加工が簡単になると共に薄型表示装置の組立も容易となる。
【発明を実施するための最良の形態】
【００１６】
図に基づいて本発明の実施形態を液晶テレビに適用した場合に関し、以下に説明する。図１（ａ）は液晶テレビ前面の外観斜視図、図１（ｂ）は液晶テレビ本体部分の正面図、図1（ｃ）は液晶テレビ本体部分の底面図である。図１において、１は液晶テレビ、１ａは画像表示を行う液晶表示パネル、２aは左スピーカ部、２ｂは右スピーカ部、３ａはバスレフスピーカシステムの左バスレフポート、３ｂは右バスレフポート、４はキャビネット、５はスタンドを示す。
【００１７】
図３は液晶テレビ１の右側に配置されるスピーカボックスを示す図であり、図３（ａ）はスピーカボックスの外観斜視図、図３（ｂ）は図１（ｂ）中に鎖線Ｈ−Ｈで示す切断線に沿って切断した液晶テレビ１下部の縦断面斜視図である。図３において、４ａは前キャビネット、４ｂは後キャビネット、４ｃはバスレフポート開口部、６はスピーカボックス、６ａはスピーカ、６ｂはバスレフ用のポート、６ｃはダクト、６ｄはフローティングゴム、６ｅはゴムスペーサを示す。スピーカボックス６は、スピーカ６ａとポート６ｂが一体化されてヘルムホルツ共鳴箱として構成されている。尚、左側に配置されるスピーカボックスの図は省略するが、右側に配置されるスピーカボックス６のスピーカ６ａとポート６ｂの位置が逆に配置され同様にヘルムホルツ共鳴箱として構成されている。
【００１８】
また、画像表示を行う液晶表示パネル１ａ面とスピーカ６aと左スピーカの取り付け面は略平行に取付けられており、左バスレフポート３ａと右バスレフポート３ｂは、前キャビネット４ａ下部中央で斜め下方に曲率中心を有する曲面に、液晶表示パネル１ａ面と略４０度の角度をなして設けられている。また、スピーカボックス６におけるスピーカ６ａの放音軸とポート６ｂの放音軸も略４０度の角度をなして設けられている。
【００１９】
スピーカボックス６は、ポート６ｂ部分にゴムスペーサ６ｅを嵌め込んだ後に、前キャビネット４ａに設けられたスピーカボックス６取付け用ボス３本とバスレフポート開口部４ｃに対しそれぞれフローティングゴム６ｄとゴムスペーサ６ｅとの位置合せを行った後にビス止めにて固定される。液晶テレビ１の最終組立工程にて後キャビネット４ｂが前キャビネット４ａ側に固定されるが、スピーカボックス６は前キャビネット４ａのみに固定されることになる。
【００２０】
ゴムスペーサ６ｅはポート６ｂと右バスレフポート３ｂ間の機密性を保つとともに、フローティングゴム６ｄとともに前キャビネット４ａに対してフローティング固定されることで、スピーカボックス６からの振動のキャビネット４への伝播も抑えている。左スピーカ部２ａに位置するスピーカボックスも右スピーカ部２ｂ同様に組立てられ、それぞれ左右の音声チャンネル用として別個に独立して設けられている。
【００２１】
左バスレフポート３ａ、および右バスレフポート３ｂからは、主として低周波数域の音声を出力するが、略３０００Ｈｚ以上の中／高周波数域の音声も低周波数の音声に比し低レベルではあるが漏洩し出力される。しかしながら、中／高周波数域の音声は低周波数域の音声に比して指向性が強く、放音軸方向には強く放射するが放音軸から遠ざかる角度方向へは急激に減衰する。したがって、放音軸をキャビネット４の前方下方向に指向させ配設したバスレフポート３ａ、３ｂから漏洩する低レベルの中／高周波数域の音声は、キャビネット４前面に位置する視聴者の耳には直接に届かず、ステレオプログラム再生時の左右の音声チャンネル分離特性を劣化させる原因にはならない。
【００２２】
図２（ａ）は、図１（ｂ）中に鎖線Ｃ−Ｃで示す切断線に沿って切断した液晶テレビ１の本体の縦断面図である。キャビネット４の底面に配設された左バスレフポート３ａからの放音軸は、図２（ａ）中に鎖線矢印「Ａ」で示すごとく、キャビネット４の前方下方向に指向させ、図２（ａ）中に鎖線矢印「Ｂ」で示す左バスレフポート３ａから液晶テレビ１の前方に位置する視聴者７に向かう方向とは、図２（ａ）中に示す角度「α」を以ってオフセットしている。  
【００２３】
図２（ｂ）は左バスレフポート３ａから主に出力される低周波数域での音声の指向特性を破線によりベクトル図として模式的に示している。図２（ｂ）に示すごとく、視聴者７の耳に達する低周波数域での音圧レベル「Ｅ」は、バスレフポート３ａの放音軸方向「Ｄ」への音圧レベルと略同等レベルとなる。しかしながら、図２（ｃ）の中／高周波数域での音声の指向特性図に示すごとく、視聴者７の耳に達する中／高周波数域での音圧レベル「Ｇ」は、バスレフポート３ａの放音軸方向「Ｆ」への音圧レベルより、著しく減衰している。
【００２４】
前述のごとく、左バスレフポート３ａの放音軸方向を、キャビネット４の前面下方向に指向させることにより、視聴者７に到達する中／高周波数域の音圧レベルを選択的に下げることが可能となり、左右の音声チャンネル分離特性の劣化を防止し、ステレオプログラム再生時の立体音響効果が損なわれることを回避することが出来る。前記説明では、左バスレフポート３ａを例としているが、右バスレフポート３ｂについても、全く同様に適用可能であることは言を待たない。
【００２５】
また、バスレフポート３ａ、３ｂは、前キャビネット４ａ下部中央で斜め下方に曲率中心を有する曲面に、液晶表示パネル１ａ面と略４０度の角度をなして設けられていることで、低周波数域音声の放音部としてのバスレフポート３ａ、３ｂをユーザーが視認可能であり、該薄型表示装置に内蔵されたオーディオ再生装置が有する優れた機能性をユーザーに訴求することも出来る。
【００２６】
尚、本実施の形態においては、バスレフポート３ａ、３ｂが前キャビネット４ａ下部中央で斜め下方に曲率中心を有する曲面に、液晶表示パネル１ａ面と略４０度の角度をなして設けられていることで説明したが、キャビネット４の前面で上下左右の周辺部に設けることでも同様の効果が得られる。
【産業上の利用可能性】
【００２７】
本発明はバスレフスピーカシステムを内蔵する薄型表示装置を実施例として説明しているが、スピーカボックスの背面を壁面に当接させ設置し、バスレフポートをスピーカボックスの背面に配設することが困難な壁掛け型バスレフスピーカシステムに適応しても好適である。
【図面の簡単な説明】
【００２８】
【図１】本発明の実施例である液晶テレビの（ａ）は外観斜視図、（ｂ）は液晶テレビ本体の前面図、（ｃ）は液晶テレビ本体の底面図である。
【図２】（ａ）は図１（ｂ）中に鎖線で示す切断線Ｃ−Ｃに沿って切断した縦断面図、（ｂ）は低周波数域音声における指向特性、（ｃ）は中／高周波数域音声における指向特性を示す模式図である。
【図３】本発明の実施例であるスピーカボックスの（ａ）は外観斜視図、（ｂ）は図１（ｂ）中に切断線Ｈ−Ｈに沿って切断した液晶テレビ下部の縦断面斜視図である。
【図４】従来技術の実施例を示す（ａ）は前面図、（ｂ）は側面図、（ｃ）は音声回路ブロックダイアグラムである。
【図５】従来技術の他の実施例を示す（ａ）は前面図、（ｂ）は側面図、（ｃ）は底面図、（ｄ）は音声回路ブロックダイアグラムである。
【符号の説明】
【００２９】
１  ：  液晶テレビ
１ａ：  液晶表示パネル
２  ：  スピーカ部
２ａ：  左スピーカ部
２ｂ：  右スピーカ部
３  ：  バスレフポート
３ａ：  左バスレフポート
３ｂ：  右バスレフポート
４  ：  キャビネット
４ａ：  前キャビネット
４ｂ：  後キャビネット
４ｃ：  バスレフポート開口部
５  ：  スタンド
６  ：  スピーカボックス
６ａ：  スピーカ
６ｂ：  ポート
６ｃ：  ダクト
６ｄ：  フローティングゴム
６ｅ：  ゴムスペーサ  
７  ：  視聴者
１２：  スピーカ部
１２ａ：  左スピーカ部
１２ｂ：  右スピーカ部
１２ｃ：  左チャンネル音声信号入力端子
１２ｄ：  右チャンネル音声信号入力端子
１２ｅ：  左チャンネル前置増幅器
１２ｆ：  右チャンネル前置増幅器
１２ｇ：  左チャンネル電力増幅器
１２ｈ：  右チャンネル電力増幅器
１３：  バスレフポート
１３ａ：  左バスレフポート
１３ｂ：  右バスレフポート
１４：  キャビネット
２２：  スピーカ部
２２ａ：  左スピーカ部
２２ｂ：  右スピーカ部
２２ｃ：  左チャンネル音声信号入力端子
２２ｄ：  右チャンネル音声信号入力端子
２２ｅ：  左チャンネル前置増幅器
２２ｆ：  右チャンネル前置増幅器
２２ｇ：  左チャンネル電力増幅器
２２ｈ：  右チャンネル電力増幅器
２３：  バスレフポート
２４：  キャビネット
２５：  ウーファ
２６：  低域通過フィルタ
２６ａ：  左チャンネル低域通過フィルタ
２６ｂ：  右チャンネル低域通過フィルタ
２７：  重畳回路
２８：  ウーファ電力増幅器
【図１】
2006173943.tif 000003
【図２】
2006173943.tif 000004
【図３】
2006173943.tif 000005
【図４】
2006173943.tif 000006
【図５】
2006173943.tif 000007